(57)【要約】【課題】  計測器が地表面と接触して損傷するのを回避する。【解決手段】    棒状の計測器２８を支持する支持装置１であって、上下移動装置３０に取り付けられて、上下移動装置３０と一体に上下移動可能な上支持部３と、上支持部３の下方に間隔をおいて設けられる下支持部７と、前記上支持部３と前記下支持部７との間を上下方向に伸縮可能に連結する伸縮部１５とを備え、前記上支持部３及び前記下支持部７には前記計測器２８をスライド可能に挿通させる挿通孔５、９、１１が設けられる計測器支持手段２と、前記下支持部７又は前記上支持部３の何れか一方に設けられるとともに、前記計測器２８を前記下支持部７又は前記上支持部３に固定する計測器固定手段２５とを備える。【選択図】  図１
2013167579.tif 000002
【特許請求の範囲】
【請求項１】
計測器を支持する支持装置であって、
上下移動装置に取り付けられて、上下移動装置と一体に上下移動可能な上支持部と、上支持部の下方に間隔をおいて設けられる下支持部と、前記上支持部と前記下支持部との間を上下方向に伸縮可能に連結する伸縮部とを備え、前記上支持部及び前記下支持部には前記計測器をスライド可能に挿通させる挿通孔が設けられる計測器支持手段と、
前記下支持部又は前記上支持部の何れか一方に設けられるとともに、前記計測器を前記下支持部又は前記上支持部の何れか一方に固定する計測器固定手段とを備えていることを特徴とする支持装置。
【請求項２】
前記計測器固定手段は、前記下支持部又は前記上支持部の何れか一方に設けられるとともに、前記計測器を前記下支持部の挿通孔又は前記上支持部の挿通孔の何れか一方に押し付けて固定するばね部材からなることを特徴とする請求項１に記載の支持装置。
【請求項３】
前記伸縮部は、上端が前記上支持部に連結ピンを介して回動自在に連結される第１フレーム及び第２フレームと、前記第１フレーム及び第２フレームの下端に上端が連結ピンを介して回動自在に連結されるとともに、下端が前記下支持部に連結ピンを介して回動自在に連結される第３フレーム及び第４フレームとからなる菱形状をなすものであることを特徴とする請求項１又は２に記載の支持装置。
【請求項４】
前記計測器は、水中での計測を行うことを特徴とする請求項１〜３の何れか１項に記載の支持装置。
【発明の詳細な説明】
【技術分野】
【０００１】
本発明は、支持装置に関し、特に、水中の温度を計測する温度計等の計測器を支持するのに有効な支持装置に関する。
【背景技術】
【０００２】
河川、水槽等の水深方向の複数箇所の水温を測定する装置の例が特許文献１、２に記載されている。
特許文献１に記載の装置は、貯湯タンク内に、湯の水位を検知するフローとスイッチと、湯温を検知するサーミスタとを設け、フロートスイッチからの信号に基づいて、給水口からの清水の補強を制御することで貯留量を一定に保持し、サーミスタからの信号に基づいて、ヒータの入り切りを制御することで湯温を一定に保持するように構成したものである。
【０００３】
フロートスイッチは、案内パイプ内に上下のリードスイッチを収容し、外周にフロートを昇降自在に嵌装させた構造であって、貯湯タンクの蓋の裏面に垂下状に取り付けられ、蓋からの案内パイプの垂下長さを調整することにより、サーミスタの上下方向の位置を調整することができる。
【０００４】
また、特許文献２に記載の装置は、下端が水域の底部に直立して差し入れられ、上端が水面上に突出する棒材と、この棒材に遊びをもたせて通され、所定の長さの針金を介して接続された上下の環状部材と、上側の環状部材に針金又は紐を介して接続された浮きと、下側の環状部材に針金又は紐を介して接続された収容ケースと、収容ケースの内部に収容され、測定されたデータを経時的に記録するロガーを内蔵した温度センサとを備えたものである。環状部材は、常に水面に追従して水面から一定の距離を保ち、温度センサは、水面から常に一定の深さに保持される。
【先行技術文献】
【特許文献】
【０００５】
【特許文献１】特開２００１−１６５５０６号公報
【特許文献２】特開２００１−２０１３４５号公報
【発明の概要】
【発明が解決しようとする課題】
【０００６】
ところで、上記のような構成の装置にあっては、サーミスタ、温度センサの上下方向の位置を調整するために、操作を誤ってフロート、環状部材を下げすぎた場合に、サーミスタ、温度センサがタンクの底部、水域の底部に接触して損傷するおそれがある。
【０００７】
本発明は、上記のような従来の問題に鑑みなされたものであって、操作を誤って、温度計等の計測器が測定対象の河川、水槽等の底部に接触しても、温度計等の計測器が損傷することがない支持装置を提供することを目的とする。
【課題を解決するための手段】
【０００８】
上記のような課題を解決するために、本発明は、以下のような手段を採用している。
すなわち、本発明は、計測器を支持する支持装置であって、上下移動装置に取り付けられて、上下移動装置と一体に上下移動可能な上支持部と、上支持部の下方に間隔をおいて設けられる下支持部と、前記上支持部と前記下支持部との間を上下方向に伸縮可能に連結する伸縮部とを備え、前記上支持部及び前記下支持部には前記計測器をスライド可能に挿通させる挿通孔が設けられる計測器支持手段と、前記下支持部又は前記上支持部の何れか一方に設けられるとともに、前記計測器を前記下支持部又は前記上支持部の何れか一方に固定する計測器固定手段とを備えていることを特徴とする。
【０００９】
本発明の支持装置によれば、計測器支持手段に計測器を取り付け、計測器固定手段によって計測器を下支持部又は上支持部に固定することにより、計測器の計測器支持手段に対する上下方向の相対的な位置を調整する。そして、この状態で上下移動装置と一体に支持装置を下降させて、計測器の下端が例えば測定対象の河川の底部に当接すると、伸縮部が上支持部と下支持部との間隔を狭める方向に変形することにより、計測器に作用する過大な荷重を逃すことができ、計測器が損傷するのを防止できる。
【００１０】
また、本発明において、前記計測器固定手段は、前記下支持部又は前記上支持部の何れか一方に設けられるとともに、前記計測器を前記下支持部の挿通孔又は前記上支持部の挿通孔の何れか一方に押し付けて固定するばね部材からなることとしてもよい。
【００１１】
本発明の支持装置によれば、計測器固定手段としてのばね部材の付勢力により、計測器が下支持部の挿通孔又は上支持部の挿通孔の何れか一方に押し付けられ、計測器が上下方向の所定の位置に固定される。
【００１２】
また、本発明において、前記伸縮部は、上端が前記上支持部に連結ピンを介して回動自在に連結される第１フレーム及び第２フレームと、前記第１フレーム及び第２フレームの下端に上端が連結ピンを介して回動自在に連結されるとともに、下端が前記下支持部に連結ピンを介して回動自在に連結される第３フレーム及び第４フレームとからなる菱形状をなすものであることとしてもよい。
【００１３】
本発明の支持装置によれば、第１フレーム〜第４フレームからなる菱形状の伸縮部が伸縮変形することにより、上支持部と下支持部との間の間隔が狭められ、又は広げられることになる。
【００１４】
さらに、本発明において、前記計測器は、水中での計測を行うこととしてもよい。
【００１５】
本発明の支持装置によれば、水中での温度等の計測を行う場合に、計測器が測定対象の底部に当接しても、計測器に過大な荷重が作用して損傷するようなことはない。
【発明の効果】
【００１６】
以上、説明したように、本発明の支持装置によれば、計測器を上下方向へ移動させて、例えば、測定対象の水中の上下方向の水温等を計測する場合に、計測器が地表面と接触して損傷することはなく、上下方向の複数箇所の水温等を確実に計測することができる。
【図面の簡単な説明】
【００１７】
【図１】本発明による支持装置の一実施の形態の全体を示した概略図である。
【図２】図１の支持装置の動作を示した説明図であって、温度計が河川の底部に当接する前の状態を示した説明図である。
【図３】図１の支持装置の動作を示した説明図であって、温度計が河川の底部に当接した後の状態を示した説明図である。
【発明を実施するための形態】
【００１８】
以下、図面を参照しながら本発明の実施の形態について説明する。
図１〜図３には、本発明による支持装置の一実施の形態が示されている。本実施の形態の支持装置１は、水中の上下方向の水温等を計測する温度計等の計測器２８を支持するものであって、計測器２８を上下方向に移動させて、水中の上下方向の複数箇所における水温等を計測する際に、計測器２８が地表面（川底、海底、地面等）と接触して損傷するのを防止するのに有効なものである。
【００１９】
なお、本実施の形態においては、計測器２８に先端に温度センサが取り付けられた棒状の温度計２８を用い、この温度計２８で河川や水槽等の水深方向の複数箇所における水温を計測する場合に、本発明の支持装置１を用いている。
【００２０】
本実施の形態の支持装置１は、図１に示すように、計測器支持手段２と、計測器支持手段２を既存の上下移動装置３０に固定する固定手段（図示せず）とを備え、計測器支持手段２に計測器としての温度計２８が取り付けられるようになっている。
【００２１】
計測器支持手段２は、上支持部３と、上支持部３の下方に間隔をおいて設けられる下支持部７と、上支持部３と下支持部７との間に上下方向に伸縮可能に設けられる、パンタグラフ式の菱形状の伸縮部１５とから構成されている。
【００２２】
伸縮部１５は、上支持部３に上端が第１連結ピン２０を介して回動自在に連結される第１フレーム１６及び第２フレーム１７と、第１フレーム１６及び第２フレーム１７の下端に上端が第２連結ピン２１及び第３連結ピン２２を介して回動自在に連結されるとともに、下端が下支持部７に第４連結ピン２３を介して回動自在に連結される第３フレーム１８及び第４フレーム１９とから構成されている。
【００２３】
第１フレーム１６、第２フレーム１７、第３フレーム１８、及び第４フレーム１９は同一長さに形成されるとともに、第１連結ピン２０と第２連結ピン２１との間の距離、第１連結ピン２０と第３連結ピン２２との間の距離、第２連結ピン２１と第４連結ピン２３との間の距離、第３連結ピン２２と第４連結ピン２３との間の距離が同一となるように、各フレーム１６〜１９の各連結ピン２０〜２３による連結位置が調整されている。
【００２４】
伸縮部１５は、図２に示すように、第１フレーム１６と第２フレーム１７とが第１連結ピン２０を中心として矢印方向に相対的に回動し、第３フレーム１８と第４フレーム１９とが第４連結ピン２３を中心として矢印方向に相対的に回動し、第１フレーム１６と第３フレーム１８とが第２連結ピン２１を中心として矢印方向に相対的に回動し、第２フレーム１７と第４フレーム１９とが第３連結ピン２２を中心として矢印方向に相対的に回動することにより、上支持部３と下支持部７との間隔を広げる方向に変形するようになっている。
【００２５】
また、図３に示すように、第１フレーム１６と第２フレーム１７とが第１連結ピン２０を中心として矢印方向に相対的に回動し、第３フレーム１８と第４フレーム１９とが第４連結ピン２３を中心として矢印方向に相対的に回動し、第１フレーム１６と第３フレーム１８とが第２連結ピン２１を中心として矢印方向に相対的に回動し、第２フレーム１７と第４フレーム１９とが第３連結ピン２２を中心として矢印方向に相対的に回動することにより、上支持部３と下支持部７との間隔を狭める方向に変形するようになっている。
【００２６】
上支持部３は、図１に示すように、山形鋼等から形成されるＬ形板状をなすものであって、水平方向を向くように設けられるとともに、中央部に温度計をスライド可能に挿通させる第１挿通用孔５が設けられる第１支持部４と、鉛直方向を向くように設けられるとともに、背面側の中央部に第１フレーム１６の上端及び第２フレーム１７の上端が第１連結ピン２０を介して連結される第１フレーム取付部６とから構成されている。
【００２７】
下支持部７は、図１に示すように、Ｃ形鋼等から形成されるコ形板状をなすものであって、水平方向を向くように設けられるとともに、中央部に温度計をスライド可能に挿通させる第２挿通用孔９及び第３挿通用孔１１が設けられる第２支持部８及び第３支持部１０と、鉛直方向を向くように設けられるとともに、背面側の中央部に第３フレーム１８の下端及び第４フレーム１９の下端が第４連結ピン２３を介して連結される第２フレーム取付部１２とから構成されている。
【００２８】
第１挿通用孔５、第２挿通用孔９、及び第３挿通用孔１１は、同一直線上に位置するように、第１支持部４、第２支持部８、及び第３支持部１０にそれぞれ設けられ、これらの挿通用孔５、９、１１内を温度計２８がスライド可能に挿通するようになっている。
【００２９】
図１に示すように、下支持部７の第３支持部１０の内面側には、温度計２８を第３支持部１０に固定することにより、温度計２８の先端の温度センサの上下方向の位置を調整する計測器固定手段２５が設けられている。
【００３０】
計測器固定手段２５は、ばね部材としての板ばね２６であって、板ばね２６を第３支持部１０の内面側にねじによって斜めに取り付け、板ばね２６のばね力によって温度計２８を第２挿通用孔９及び第３挿通用孔１１の内面に押し付けられることにより、温度計２８を下支持部７に固定するように構成したものである。
【００３１】
具体的には、板ばね２６の第３支持部１０の第３挿通用孔１１に対応する部分に、第３挿通用孔１１よりも大径の第４挿通用孔２７を設け、この第４挿通用孔２７内に温度計２８を挿通させることで、板ばね２６のばね力によって温度計２８を第２挿通用孔９及び第３挿通用孔１１の内面に押し付けている。
【００３２】
この板ばね２６により、温度計２８を下支持部７に固定することができ、温度計２８の先端の温度センサを上下方向の所定の位置に固定することができる。また、温度計２８を下支持部７に固定することにより、伸縮部１５の内角を所定の角度に保持することができ、後述する上下移動装置３０の可動部３１に対する温度計２８の相対的な位置を固定することができる。
【００３３】
なお、計測器固定手段２５は、板ばね２６に限らず、温度計２８を下支持部７に固定することにより、温度計２８の先端の温度センサの上下方向の位置を調整できるものであればよい。
【００３４】
そして、上記のような構成の支持装置１に温度計２８を取り付け、例えば、河川３２の水深方向の複数箇所における水温を計測する場合には、まず、図１に示すように、支持装置１の上支持部３の第１挿通用孔５、下支持部７の第２挿通用孔９、板ばね２６の第４挿通用孔２７、及び下支持部７の第３挿通用孔１１内に温度計２８を挿通させる。
【００３５】
次に、板ばね２６を縮めた状態とすることにより、温度計２８を第１挿通用孔５、第２挿通用孔９、第４挿通用孔２７、及び第３挿通用孔１１内をスライド可能な状態とし、温度計２８をこれらの挿通孔５、９、２７、１１内をスライドさせることにより、温度計２８の先端の温度センサを上下方向の所定の位置に位置決めする。
【００３６】
次に、板ばね２６を元の状態に復帰させることにより、板ばね２６のばね力によって温度センサ２８を第２挿通用孔９及び第３挿通用孔１１の内面に押し付け、温度計２８を下支持部７に固定する。
【００３７】
そして、図２に示すように、河川３２の両岸間に架け渡されている桁３４等を利用し、この桁３４等によって上下移動装置３０を支持し、上下移動装置３０の可動部３１を河川３２の水深方向に上下動可能と構成する。
【００３８】
そして、上下移動装置３０の可動部３１に支持装置１の上支持部３をバイス、ボルト・ナット等の固定手段により固定する。これにより、支持装置１が計測器支持手段２の伸縮部１５を菱形状に保った状態で上下移動装置３０の可動部３１に取り付けられ、伸縮部１５に支持されている温度計２８が鉛直方向（水深方向）を向いた状態にセットされる。
【００３９】
そして、この状態で、図２に示すように、上下移動装置３０の可動部３１を下降させて、可動部３１と一体に支持装置１を下降させることにより、温度計２８を水深方向の所定の位置に位置決めし、その位置における水温を計測する。この場合、支持装置１は、可動部３１に上支持部３が固定され、温度計２８が下支持部７に固定されていることにより、伸縮部１５及び温度計２８の自重によって図２に示すような菱形状を保った状態で水中を下降する。そして、このような作業を、支持装置１の水深方向の位置を変えながら繰り返し行うことにより、水深方向の複数箇所の水温を計測することができる。
【００４０】
このような水温の計測作業において、上下移動装置３０の可動部３１を下降させ過ぎた場合、図３に示すように、温度計２８の先端の温度センサが河川３２の底部３３に当接する。
【００４１】
この状態で、上下移動装置３０の可動部３１が更に下降すると、支持装置１の上支持部３の第１支持部４及び下支持部７の第２支持部８が温度計２８の表面上を下方にスライドして、伸縮部１５が縮む方向（第１フレーム１６〜第４フレーム１９が第１連結ピン２０と第４連結ピン２３との間の間隔を狭める方向）に変形することにより、温度計２８の温度センサに過大な荷重が作用するのを防止でき、温度センサが損傷するのを防止できる。
【００４２】
なお、伸縮部１５が縮んだ状態で上下移動装置３０の可動部３１を上昇させて、支持装置１の上支持部３を引き上げることにより、上支持部３の第１支持部４及び下支持部７の第２支持部８が温度計２８の表面上を上方にスライドし、伸縮部１５が伸びる方向（第１フレーム１６〜第４フレーム１９が第１連結ピン２０と第４連結ピン２３との間の間隔を広げる方向）に変形し、伸縮部１５が図２の菱形状に復帰することになる。
【００４３】
上記のように構成した本実施の形態の支持装置１にあっては、河川３２の水深方向の複数箇所の水温を計測する場合に、上下移動装置３０を誤って操作して、温度計２８を支持する支持装置１を下降させ過ぎて、温度計２８の先端の温度センサが河川３２の底部３３に接触しても、支持装置１の伸縮部１５が縮む方向に変形して、温度計２８の温度センサに作用する荷重を逃がすことができるので、温度センサに過大な荷重が作用して、温度センサが損傷するようなことはない。
【００４４】
また、温度計２８は、支持装置１の計測器支持手段２に露出した状態に取り付けられているので、温度計２８の温度センサの上下方向の位置を目視により容易に確認することができ、温度計２８の温度センサの上下方向の位置を容易に調整することができる。
【００４５】
また、温度計２８は、第１挿通用孔５、第２挿通用孔９、第３挿通用孔１１、及び第４挿通用孔２７内を挿通しているだけなので、これらの挿通用孔５、９、１１、２７と温度計２８との間にゴミ等が詰まって、温度計２８がスライド不能になるようなことはなく、温度計２８の先端の温度センサの上下方向の位置の調整を可能な状態に保つことができる。
【００４６】
また、伸縮部１５は、第１フレーム１６〜第４フレーム１９を第１連結ピン２０〜第４連結ピン２３で回動自在に連結した構成のものであって、摺動部分がないので、回動部分に耐水性を有する軸受等を使用することにより、水中で使用することを継続しても、回動部分の動きが悪くなるようなことはなく、伸縮部１５の初期の円滑な伸縮性能を長期的に維持することができる。
【００４７】
また、伸縮部１５の伸縮動作が鈍くなるようなことがないので、上下移動装置３０を下げ過ぎて温度計２８の先端が河川３２の底部に当接して伸縮部１５が縮んだ場合であっても、上下移動装置３０を上昇させて支持装置１を引き上げることにより、上支持部３の第１支持部４及び下支持部７の第２支持部８を温度計２８の表面に沿って上方へスライドさせて、伸縮部１５を元の形状に復帰させることができるので、温度計２８の先端の温度センサの上下方向の位置に狂いが生じるようなことはない。従って、透明度が低いような場所の水中の上下方向の複数箇所の水温を計測する場合等に有効に利用することができる。
【００４８】
さらに、支持装置１は、上下移動装置３０の可動部３１よりも下方に取り付けられ、可動部３１よりも上方に突出する部分がないので、上下移動装置１の上方の高さが制限されるような場合であっても有効に利用することができる。
【００４９】
なお、前記の説明においては、計測器固定手段としての板ばね２６を下支持部７に設けたが、板ばね２６を上支持部３に設けてもよい。
【００５０】
また、前記の説明においては、計測器支持手段２のパンタグラフ式の伸縮部１５を１段に設けたが、伸縮部１５を２段以上に設けてもよい。
【００５１】
また、前記の説明においては、計測器として温度計２８を使用したが、計測器として流速計等を使用してもよい。
【符号の説明】
【００５２】
１  支持装置
２  計測器支持手段
３  上支持部
４  第１支持部
５  第１挿通用孔
６  第１フレーム取付部
７  下支持部
８  第２支持部
９  第２挿通用孔
１０  第３支持部
１１  第３挿通用孔
１２  第２フレーム取付部
１５  伸縮部
１６  第１フレーム
１７  第２フレーム
１８  第３フレーム
１９  第４フレーム
２０  第１連結ピン
２１  第２連結ピン
２２  第３連結ピン
２３  第４連結ピン
２５  計測器固定手段
２６  ばね部材（板ばね）
２７  第４挿通用孔
２８  計測器（温度計）
３０  上下移動装置
３１  可動部
３２  河川
３３  底部
３４  桁
【図１】
2013167579.tif 000003
【図２】
2013167579.tif 000004
【図３】
2013167579.tif 000005